(57)【要約】      （修正有）【課題】身体に対するフィット性を高めるとともに、吸収コアが身体側に凸状に変形していることを使用者が容易に把握でき、漏れに対する安心感を得られる使い捨ておむつを提供する。【解決手段】使い捨ておむつ１０は、少なくとも股下域に配置された吸収コア３１と、吸収コア３１の非肌面側に配置された液不透過性の裏面シート２３と、裏面シート２３の非肌面側に配置された外装シート２４と、股下域の吸収コアと重なる領域において裏面シート２３と外装シート２４の間に配置され、前後方向に伸縮する一対の股下伸縮部４１と、を備える。股下伸縮部４１の近傍又は股下伸縮部４１と重なる部位に、股下伸縮部４１に沿って装飾部が設けられている。装飾部は、使い捨ておむつの非肌面側から視認可能である。【選択図】図４
0003218598.tif 000002
【実用新案登録請求の範囲】
【請求項１】
互いに直交する前後方向及び幅方向と、
前胴回り域、後胴回り域、及び前記前胴回り域及び前記後胴回り域との間に配置された股下域と、
少なくとも前記股下域に配置された吸収コアと、
前記吸収コアの非肌面側に配置された液不透過性の裏面シートと、
前記裏面シートの非肌面側に配置された外装シートと、
前記股下域の前記吸収コアと重なる領域において前記裏面シートと前記外装シートの間に配置され、前記前後方向に伸縮する一対の股下伸縮部と、を備える使い捨ておむつであって、
前記股下伸縮部の近傍又は前記股下伸縮部と重なる部位に、前記股下伸縮部に沿って装飾部が設けられており、
前記装飾部は、前記使い捨ておむつの非肌面側から視認可能である、使い捨ておむつ。
【請求項２】
前記装飾部は、前記裏面シートの非肌面に設けられている、請求項１に記載の使い捨ておむつ。
【請求項３】
前記裏面シートと前記外装シートが接合された接合領域と、
前記接合領域に隣接し、かつ前記裏面シートと前記外装シートが接合されていない非接合領域と、を有し、
前記股下伸縮部の少なくとも一部及び前記装飾部の少なくとも一部は、前記接合領域に配置されている、請求項２に記載の使い捨ておむつ。
【請求項４】
前記股下域の前記吸収コアには、前記前後方向に延び、かつ前記幅方向に間隔を空けて配置された一対の低坪量部が設けられており、
前記股下伸縮部の少なくとも一部は、前記低坪量部に重なっている、請求項１から請求項３のいずれか１項に記載の使い捨ておむつ。
【請求項５】
前記低坪量部の前端縁及び後端縁の少なくとも一方は、前記前後方向において前記股下伸縮部よりも外側に延出しており、
前記装飾部は、前記前後方向において前記低坪量部の全域に配置されている、請求項４に記載の使い捨ておむつ。
【請求項６】
前記股下伸縮部及び前記装飾部は、前記使い捨ておむつの前記前後方向の中心を跨いで配置されている、請求項１から請求項５のいずれが１項に記載の使い捨ておむつ。
【請求項７】
前記股下伸縮部は、前記使い捨ておむつの前記前後方向の中心を跨がずに配置され、
前記装飾部は、前記使い捨ておむつの前記前後方向の中心を跨いで配置されている、請求項１から請求項５のいずれか１項に記載の使い捨ておむつ。
【請求項８】
前記装飾部の前記前後方向の長さは、前記股下伸縮部の前記前後方向の長さよりも長い、請求項１から請求項７のいずれか１項に記載の使い捨ておむつ。
【請求項９】
前記装飾部は、前記股下伸縮部よりも前側に延出する前側延出部と、前記股下伸縮部よりも後側に延出する後側延出部と、を有し、
前記前側延出部の前記前後方向の長さは、前記後側延出部の前記前後方向の長さよりも長い、請求項１から請求項８のいずれか１項に記載の使い捨ておむつ。
【請求項１０】
前記装飾部の前記幅方向の長さは、前記股下伸縮部の前記幅方向の長さよりも長い、請求項１から請求項９のいずれか１項に記載の使い捨ておむつ。
【請求項１１】
前記装飾部は、前記幅方向に間隔を空けて一対で設けられており、
前記一対の股下伸縮部は、前記一対の装飾部の間の領域に配置されている、請求項１から請求項１０のいずれか１項に記載の使い捨ておむつ。
【請求項１２】
前記使い捨ておむつの前記幅方向の中心に対する一方側に位置する前記股下伸縮部と前記装飾部との距離は、前記使い捨ておむつの前記幅方向の中心に対する他方側に位置する前記股下伸縮部と前記装飾部との距離と異なる、請求項１１に記載の使い捨ておむつ。
【請求項１３】
前記後胴回り域に配置され、かつ前記前胴回り域に係合するファスニングテープを有しており、
前記装飾部は、前記幅方向の内側に向かって膨らむ凸形状である、請求項１から請求項１２のいずれか１項に記載の使い捨ておむつ。
【請求項１４】
前記後胴回り域に配置され、かつ前記前胴回り域に係合するファスニングテープを有しており、
前記吸収コアには、前記幅方向に間隔を空けて配置された一対の変形基点部が設けられており、
前記変形基点部は、前記股下伸縮部よりも後側かつ前記一対の装飾部間の領域において、後側に向かって前記幅方向の外側に向かって延びている、請求項１２又は請求項１３に記載の使い捨ておむつ。
【請求項１５】
前記一対の装飾部の間の領域には、前記前後方向に延びるインジケータが設けられており、
前記インジケータと前記装飾部の色差ΔＥは、３．０以上である、請求項１から請求項１４のいずれか１項に記載の使い捨ておむつ。
【請求項１６】
前記一対の装飾部の間の領域には、前記前後方向に延びるインジケータが設けられており、
前記インジケータの色と前記装飾部の色は、オストワルト色相環によって分類された２４色の色票で、色相番号が２以上ずれている、請求項１から請求項１４のいずれか１項に記載の使い捨ておむつ。
【考案の詳細な説明】
【技術分野】
【０００１】
本考案は、股下域に前後方向に延びる一対の股下伸縮部を有する使い捨ておむつに関する。
【背景技術】
【０００２】
股下域に前後方向に延びる一対の股下伸縮部を有する使い捨ておむつが知られている（例えば、特許文献１参照）。股下伸縮部は、吸収コアに重なる領域に配置されている。股下伸縮部が収縮することにより、股下域の吸収コアが身体側に引き上げられる。
【先行技術文献】
【特許文献】
【０００３】
【特許文献１】特開２０１８−４７３号公報
【考案の概要】
【考案が解決しようとする課題】
【０００４】
上述の使い捨ておむつは、以下の問題点があった。
使用者は、装着後におむつの肌面側から視認し、おむつが適切に装着されているか、身体に対してフィットしているかを確認する。特許文献１の使い捨ておむつでは、股下域の吸収コアが身体側に引き上げられ、着用者の股間に対してフィットしている状態であっても、使用者は、当該変形状態を把握できないことがあった。
【０００５】
よって、身体に対するフィット性を高めるとともに、吸収コアが身体側に凸状に変形していることを使用者が容易に把握でき、漏れに対する安心感を得られる使い捨ておむつが望まれる。
【課題を解決するための手段】
【０００６】
一態様に係る使い捨ておむつは、互いに直交する前後方向及び幅方向と、前胴回り域、後胴回り域、及び前記前胴回り域及び前記後胴回り域との間に配置された股下域と、少なくとも前記股下域に配置された吸収コアと、前記吸収コアの非肌面側に配置された液不透過性の裏面シートと、前記裏面シートの非肌面側に配置された外装シートと、前記股下域の前記吸収コアと重なる領域において前記裏面シートと前記外装シートの間に配置され、前記前後方向に伸縮する一対の股下伸縮部と、を備える使い捨ておむつであって、前記股下伸縮部の近傍又は前記股下伸縮部と重なる部位に、前記股下伸縮部に沿って装飾部が設けられており、前記装飾部は、前記使い捨ておむつの非肌面側から視認可能である。
【図面の簡単な説明】
【０００７】
【図１】実施形態に係る使い捨ておむつの肌面側から見た平面図である。
【図２】実施形態に係る使い捨ておむつ非肌面側から見た平面図である。
【図３】実施形態に係る吸収コアの平面図である。
【図４】図１に示す使い捨ておむつのＡ−Ａ断面に沿った模式断面図である。
【図５】図１に示す使い捨ておむつのＢ−Ｂ断面に沿った模式断面図である。
【図６】使い捨ておむつのＡ−Ａ断面における装着状態を模式的に示した図である。
【図７】実施形態に係る使い捨ておむつの装着状態を模式的に示した図である。
【図８】変形例に係る使い捨ておむつ非肌面側から見た平面図である。
【考案を実施するための形態】
【０００８】
（１）実施形態の概要
本明細書及び添付図面の記載により、少なくとも以下の事項が明らかとなる。
一態様に係る使い捨ておむつは、互いに直交する前後方向及び幅方向と、前胴回り域、後胴回り域、及び前記前胴回り域及び前記後胴回り域との間に配置された股下域と、少なくとも前記股下域に配置された吸収コアと、前記吸収コアの非肌面側に配置された液不透過性の裏面シートと、前記裏面シートの非肌面側に配置された外装シートと、前記股下域の前記吸収コアと重なる領域において前記裏面シートと前記外装シートの間に配置され、前記前後方向に伸縮する一対の股下伸縮部と、を備える使い捨ておむつであって、前記股下伸縮部の近傍又は前記股下伸縮部と重なる部位に、前記股下伸縮部に沿って装飾部が設けられており、前記装飾部は、前記使い捨ておむつの非肌面側から視認可能である。
【０００９】
本態様によれば、装飾部は、股下伸縮部の近傍又は股下伸縮部と重なる部位に設けられ、股下伸縮部の収縮によって変形した部位を目立たせることができる。使用者は、装飾部と共に股下伸縮部による収縮状態を視認することで、吸収コアが身体にフィットするように変形していることをより把握できる。使用者は、着用状態において、吸収コアが身体側に凸状に変形していることを、装飾部を介して容易に把握でき、おむつが身体にフィットしていることによる安心感を得やすい。加えて、股下伸縮部は、裏面シートと外装シートの間に配置されており、おむつの非肌面側に近いため、おむつの非肌面側から視認され易く、装飾部によって更に視認され易い。使用者は、使用前の状態においても、股下伸縮部を視認しやすくなり、股間部に対してフィットするおむつであるという安心感を得ることができる。
【００１０】
好ましい一態様によれば、前記装飾部は、前記裏面シートの非肌面に設けられてよい。
【００１１】
本態様によれば、股下伸縮部と装飾部は、厚さ方向において近くに配置され、股下伸縮部と装飾部を一体的に示すことができる。使用者は、装飾部を介して吸収コアが身体側に凸状に変形していることをより把握でき、漏れに対する安心感をより得やすい。使用者は、使用前の状態においても、股下伸縮部を視認しやすくなり、股間部に対してフィットするおむつであるという安心感を得ることができる。
【００１２】
好ましい一態様によれば、前記裏面シートと前記外装シートが接合された接合領域と、
前記接合領域に隣接し、かつ前記裏面シートと前記外装シートが接合されていない非接合領域と、を有し、前記股下伸縮部の少なくとも一部及び前記装飾部の少なくとも一部は、前記接合領域に配置されてよい。
【００１３】
接合領域では、裏面シートと外装シートが接合されている。接合領域における装飾部の視認性は、非接合領域における装飾部の視認性よりも高い。装飾部の視認性が高い接合領域に股下伸縮部が配置されているため、吸収コアの変形状態をより目立たせることができる。使用者は、装飾部を介して吸収コアが身体側に凸状に変形していることをより把握でき、漏れに対する安心感をより得やすい。使用者は、使用前の状態においても、股下伸縮部を視認しやすくなり、股間部に対してフィットするおむつであるという安心感を得ることができる。
【００１４】
好ましい一態様によれば、前記股下域の前記吸収コアには、前記前後方向に延び、かつ前記幅方向に間隔を空けて配置された一対の低坪量部が設けられており、前記股下伸縮部の少なくとも一部は、前記低坪量部に重なってよい。
【００１５】
本態様によれば、低坪量部によって吸収コアがより変形し易くなり、着用者に向かって凸状に変形し易くなる。よって、使用者は、吸収コアが身体側に凸状に変形していることをより把握でき、漏れに対する安心感をより得やすい。使用者は、使用前の状態においても、股下伸縮部を視認しやすくなり、股間部に対してフィットするおむつであるという安心感を得ることができる。
【００１６】
好ましい一態様によれば、前記低坪量部の前端縁及び後端縁の少なくとも一方は、前記前後方向において前記股下伸縮部よりも外側に延出しており、前記装飾部は、前記前後方向において前記低坪量部の全域に配置されてよい。
【００１７】
本態様によれば、使い捨ておむつには、前後方向において低坪量部と股下伸縮部が配置された領域と、低坪量部が股下伸縮部よりも前後方向の外側に延出した領域と、が設けられる。前後方向において低坪量部と股下伸縮部が配置された領域は、低坪量部によって変形基点が形成されるとともに、股下伸縮部の収縮によって身体側に引き上げられる。低坪量部が股下伸縮部よりも前後方向の外側に延出した領域は、低坪量部によって変形基点が形成されるが、股下伸縮部の収縮が作用し難い。よって、これらの２つの領域は、吸収コアの変形状態が異なり易い。２つの領域にまたがるように装飾部が設けられているため、使用者は、異なる変形態様を把握し易い。吸収コアの変形態様の違いによって、おむつの前後方向の向きやおむつの全体における前後方向の位置を把握でき、おむつが身体に対して適切に装着されているかを把握し易い。
【００１８】
好ましい一態様によれば、前記股下伸縮部及び前記装飾部は、前記使い捨ておむつの前記前後方向の中心を跨いで配置されてよい。
【００１９】
本態様によれば、股下伸縮部及び装飾部がおむつの前後方向の中心を跨ぐため、使用者は、おむつの前側を視認しても、後側を視認しても、吸収コアが身体側に凸状に変形していることを容易に把握できる。
【００２０】
好ましい一態様によれば、前記股下伸縮部は、前記使い捨ておむつの前記前後方向の中心を跨がずに配置され、前記装飾部は、前記使い捨ておむつの前記前後方向の中心を跨いで配置されてよい。
【００２１】
本態様によれば、股下伸縮部がおむつの前後方向の中心に対する一方側のみに配置されるため、おむつの前側と後側の外観を異ならせることができる。使用者は、おむつの前後方向の向きやおむつの全体における前後方向の位置を把握でき、おむつが身体に対して適切に装着されているかを把握し易い。
【００２２】
好ましい一態様によれば、前記装飾部の前記前後方向の長さは、前記股下伸縮部の前記前後方向の長さよりも長くてよい。
【００２３】
本態様によれば、装飾部がより目立ち易くなり、使用者は、吸収コアが身体側に凸状に変形していることを、装飾部を介して容易に把握できる。使用者は、使用前の状態においても、装飾部を介して股下伸縮部を視認しやすくなり、股間部に対してフィットするおむつであるという安心感を得ることができる。
【００２４】
好ましい一態様によれば、前記装飾部は、前記股下伸縮部よりも前側に延出する前側延出部と、前記股下伸縮部よりも後側に延出する後側延出部と、を有し、前記前側延出部の前記前後方向の長さは、前記後側延出部の前記前後方向の長さよりも長くてよい。
【００２５】
本態様によれば、前側延出部及び後側延出部は、股下伸縮部の収縮によって前後方向に収縮せず、視認性を確保し易い。また、一般的におむつの装着状態を確認する際は、着用者の正面側を視認する。使用者は、おむつの装着状態を確認する際に、前側延出部を視認し易く、おむつが身体に対して適切に装着されているかを把握し易い。
【００２６】
好ましい一態様によれば、前記装飾部の前記幅方向の長さは、前記股下伸縮部の前記幅方向の長さよりも長くてよい。
【００２７】
本態様によれば、装飾部がより目立ち易くなり、使用者は、吸収コアが身体側に凸状に変形していることを、装飾部を介して容易に把握できる。使用者は、使用前の状態においても、装飾部を介して股下伸縮部を視認しやすくなり、股間部に対してフィットするおむつであるという安心感を得ることができる。
【００２８】
好ましい一態様によれば、前記装飾部は、前記幅方向に間隔を空けて一対で設けられており、前記一対の股下伸縮部は、前記一対の装飾部の間の領域に配置されてよい。
【００２９】
本態様によれば、股下伸縮部を幅方向に挟んで装飾部が配置され、股下伸縮部の収縮による変形状態をより目立たせることができる。使用者は、吸収コアが身体側に凸状に変形していることをより把握でき、漏れに対する安心感をより得やすい。使用者は、使用前の状態においても、装飾部を介して股下伸縮部を視認しやすくなり、股間部に対してフィットするおむつであるという安心感を得ることができる。
【００３０】
好ましい一態様によれば、前記使い捨ておむつの前記幅方向の中心に対する一方側に位置する前記股下伸縮部と前記装飾部との距離は、前記使い捨ておむつの前記幅方向の中心に対する他方側に位置する前記股下伸縮部と前記装飾部との距離と異なってよい。
【００３１】
本態様によれば、股下伸縮部の収縮によって吸収コアが身体側に凸状に変形すると、変形基点となる股下伸縮部の近傍は、おむつの非肌面側から視認し難くなることがある。おむつの幅方向の中心に対する一方側に位置する装飾部と、おむつの幅方向の他方側に位置する装飾部と、の距離が異なるため、一方側の装飾部の視認性が確保し難い場合であっても他方側の装飾部の視認性を確保し易い。よって、使用者は、吸収コアが身体側に凸状に変形していることを、装飾部を介して容易に把握でき、漏れに対する安心感を得やすい。使用者は、使用前の状態においても、装飾部を介して股下伸縮部を視認しやすくなり、股間部に対してフィットするおむつであるという安心感を得ることができる。
【００３２】
好ましい一態様によれば、前記後胴回り域に配置され、かつ前記前胴回り域に係合するファスニングテープを有しており、前記装飾部は、前記幅方向の内側に向かって膨らむ凸形状であってよい。
【００３３】
本態様によれば、テープ型の使い捨ておむつを装着する際は、後胴回り域に臀部を載せて、股下域側におむつを引っ張り、股下域によって身体を覆う。このとき、装飾部が湾曲しているため、使用者は、装飾部の形状によっておむつ全体における前後方向の位置を把握し易い。使用者は、おむつを適切な位置まで引っ張って装着することができ、より適切な位置におむつを装着できる。
【００３４】
好ましい一態様によれば、前記後胴回り域に配置され、かつ前記前胴回り域に係合するファスニングテープを有しており、前記吸収コアには、前記幅方向に間隔を空けて配置された一対の変形基点部が設けられており、前記変形基点部は、前記股下伸縮部よりも後側かつ前記一対の装飾部間の領域において、後側に向かって前記幅方向の外側に向かって延びてよい。
【００３５】
本態様によれば、装着時に後胴回り域に臀部を載せ、股下域側におむつを引っ張った際に、吸収コアは、後胴回り域から股下域に向かって幅方向の内側に延びる変形基点部を基点として変形する。これにより、股下域側に向かって幅方向の長さが短くなるように吸収コアを変形させることができる。股下域の吸収コアは、一対の股下伸縮部の収縮によって身体側に凸状に変形する。よって、股下域の吸収コアが身体側に沿って配置される。装飾部は、変形基点部及び股下伸縮部を挟んで配置され、吸収コアが凸状に変形した部分をより目立たせることができる。よって、使用者は、吸収コアが身体側に凸状に変形していることを、装飾部を介して容易に把握でき、漏れに対する安心感をより得やすい。
【００３６】
好ましい一態様によれば、前記一対の装飾部の間の領域には、前記前後方向に延びるインジケータが設けられており、前記インジケータと前記装飾部の色差ΔＥは、３．０以上であってよい。
【００３７】
本態様によれば、使用者は、インジケータと装飾部を区別して認識し易くなる。使用者は、吸収コアが身体側に凸状に変形していることを、装飾部を介して容易に把握でき、漏れに対する安心感をより得やすい。使用者は、使用前の状態においても、装飾部を介して股下伸縮部を視認しやすくなり、股間部に対してフィットするおむつであるという安心感を得ることができる。
【００３８】
好ましい一態様によれば、前記一対の装飾部の間の領域には、前記前後方向に延びるインジケータが設けられており、前記インジケータの色と前記装飾部の色は、オストワルト色相環によって分類された２４色の色票で、色相番号が２以上ずれてよい。
【００３９】
本態様によれば、使用者は、インジケータと装飾部を区別して認識し易くなる。使用者は、吸収コアが身体側に凸状に変形していることを、装飾部を介して容易に把握でき、漏れに対する安心感をより得やすい。使用者は、使用前の状態においても、装飾部を介して股下伸縮部を視認しやすくなり、股間部に対してフィットするおむつであるという安心感を得ることができる。
【００４０】
（２）使い捨ておむつの全体概略構成
以下、図面を参照して、実施形態に係る使い捨ておむつについて説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００４１】
使い捨ておむつは、テープ型の使い捨ておむつであってもよいし、パンツ型の使い捨ておむつであってもよい。図１は、本実施形態に係る使い捨ておむつ１０の肌面側から見た平面図であり、図２は、本実施形態に係る使い捨ておむつ１０の非肌面側から見た平面図である。図３は、実施形態に係る吸収コアを肌面側から見た平面図である。図１から図３に示す平面図は、伸長状態の使い捨ておむつを示している。図４は、図１に示す使い捨ておむつのＡ−Ａ断面に沿った模式断面図である。図５は、図１に示す使い捨ておむつのＢ−Ｂ断面に沿った模式断面図である。なお、本考案における伸長状態とは、使い捨ておむつ１０を皺が形成されない状態まで伸長させた状態である。また、本考案における自然状態とは、パッケージに収容されている使い捨ておむつ１０にあっては、パッケージから使い捨ておむつ１０を取り出し、２０℃±２℃、相対湿度６０％±５％ＲＨの雰囲気下において２４時間放置した状態である。
【００４２】
使い捨ておむつ１０は、互いに直交する前後方向Ｌ及び幅方向Ｗを有する。前後方向Ｌは、身体前側と身体後側とに延びる方向によって規定される。言い換えると、前後方向Ｌは、展開された使い捨ておむつ１０において前後に延びる方向である。また、使い捨ておむつ１０は、前後方向Ｌと幅方向Ｗの両方の直交する厚さ方向Ｔを有する。厚さ方向Ｔは、着用者側に向かう肌面側Ｔ１と、肌面側と反対側の非肌面側Ｔ２と、に延びる。
【００４３】
使い捨ておむつ１０は、前胴回り域Ｓ１と、後胴回り域Ｓ２と、股下域Ｓ３と、を有する。前胴回り域Ｓ１は、着用者の前胴回り（腹部）に対向する領域である。後胴回り域Ｓ２は、着用者の後胴回り（背部）に対向する領域であり、装着時に身体（臀部）が載せられる領域を含む。股下域Ｓ３は、着用者の股下に位置し、前胴回り域Ｓ１と後胴回り域Ｓ２との間に配置された領域である。股下域Ｓ３は、着用者の脚回りに配置される脚回り開口部が設けられた領域である。脚回り開口部は、使い捨ておむつの外側縁から幅方向の内側に凹む部分である。
【００４４】
使い捨ておむつ１０は、吸収材料を含む吸収コア３１を含む。吸収コア３１は、粉砕パルプもしくは高吸収性ポリマー（ＳＡＰ）、又はこれらの混合物等の吸収材料を含む。吸収コア３１は、コアラップ３２によって覆われてよい。吸収コア３１とコアラップ３２によって吸収体３０が構成されてよい。コアラップ３２は、テッシュによって構成され、吸収コア３１の肌面側Ｔ１と吸収コアの非肌面側に配置されてよい。
【００４５】
図１及び図４に示すように、吸収コア３１を含む吸収体３０の肌面側Ｔ１には、表面シート２１及びサイドシート２２が設けられてよい。表面シート２１は、吸収体３０の幅方向Ｗの中心を跨いで配置されてよい。サイドシート２２は、表面シート２１の外側部を覆うように配置されてよい。表面シート２１及びサイドシート２２は、例えば不織布や開孔プラスチックフィルムのような透液性シートによって構成されていてよい。サイドシート２２の内側部は、折り返されて重なってよい。重なったサイドシート２２間には、前後方向Ｌに伸縮する防漏伸縮部４３が設けられてよい。防漏伸縮部４３は、前後方向Ｌに伸縮する糸ゴムによって構成されてよい。サイドシート２２と防漏伸縮部４３は、着用時に肌面側Ｔ１に起立する防漏ギャザー６０を構成する。
【００４６】
吸収体３０の非肌面側Ｔ２には、裏面シート２３及び外装シート２４が設けられてよい。外装シート２４は、裏面シート２３の非肌面側Ｔ２に設けられてよい。裏面シート２３の幅方向Ｗの長さは、外装シート２４の幅方向Ｗの長さよりも短く、裏面シート２３の前後方向Ｌの長さは、外装シート２４の前後方向Ｌの長さよりも短い。裏面シート２３は、液不透過性のフィルムによって構成されてよい。外装シート２４は、液透過性の不織布によって構成されてよい。
【００４７】
使い捨ておむつ１０は、裏面シート２３及び外装シート２４が接合された接合領域Ｒ１と、裏面シート２３及び外装シート２４が接合されずに重なって配置された非接合領域Ｒ２と、を有する。接合領域Ｒ１は、少なくとも股下伸縮部４１が配置された領域に設けられている。非接合領域Ｒ２は、接合領域Ｒ１に隣接し、かつ接合領域の前後方向の端縁から前後方向の外側に延びる。非接合領域Ｒ２は、裏面シート２３の前端縁及び後端縁に到達している。接合領域Ｒ１は、幅方向に連続して形成されていてよい。また、非接合領域Ｒ２の幅方向の外側に、接合領域Ｒ１が設けられていてもよい。裏面シート２３と外装シート２４は、ホットメルト型接着剤によって接合されていてよい。
【００４８】
後胴回り域の外側部には、ファスニングテープ９１が設けられている。ファスニングテープ９１は、ベース部９２と係合部９３を有する。ベース部９２は、厚さ方向Ｔにおいて外装シート２４及びサイドシート２２の間に配置され、幅方向Ｗにおいて外装シート２４及びサイドシート２２から外側に延出している。係合部９３は、ベース部９２上に配置されており、ターゲット部９５に係合する。ターゲット部９５は、前胴回り域Ｓ１において幅方向に間隔を空けて配置されており、ファスニングテープ９１がそれぞれ止着するように構成されている。
【００４９】
裏面シート２３と吸収体３０の間には、インジケータ５１が配置されてよい。インジケータ５１は、前後方向Ｌに延び、かつ幅方向Ｗに間隔を空けて配置されてよい。インジケータ５１は、後述する低坪量部３３の間に配置されている。インジケータ５１は、吸収体が体液を吸収することによって変色し、使い捨ておむつ１０の非肌面側Ｔ２から体液の吸収状態を把握できるように構成されている。
【００５０】
使い捨ておむつ１０は、吸収コア３１よりも幅方向の外側において前後方向に伸縮する脚回り伸縮部４２を有してよい。脚回り伸縮部４２は、サイドシート２２と裏面シート２３の間、及びサイドシート２２と外装シート２４の間に設けられてよい。脚回り伸縮部４２は、前後方向Ｌに伸縮する帯状の伸縮シートによって構成されている。脚回り伸縮部４２の収縮によって、着用時に使い捨ておむつ１０の脚回り開口部が脚回りにフィットする。
【００５１】
使い捨ておむつ１０は、使い捨ておむつの後端縁に沿って幅方向Ｗに延びる腰回り伸縮部４５を有してよい。腰回り伸縮部４５は、裏面シート２３と外装シート２４の間、表面シート２１と外装シート２４の間、及びサイドシート２２と外装シート２４の間に設けられてよい。腰回り伸縮部４５の後端縁は、使い捨ておむつの後端縁よりも前側に位置し、腰回り伸縮部４５の前端縁は、吸収コア３１の後端縁よりも前側に位置してよい。腰回り伸縮部４５は、吸収コア３１よりも幅方向Ｗの外側に延出してよい。腰回り伸縮部４５は、幅方向Ｗに伸縮する帯状の伸縮シートによって構成されている。
【００５２】
使い捨ておむつ１０は、股下域の吸収コア３１に重なる領域に設けられた一対の股下伸縮部４１を有してよい。股下伸縮部４１は、吸収コア３１よりも非肌面側に配置されている。股下伸縮部４１は、裏面シート２３と外装シート２４の間に設けられてよい。股下伸縮部４１は、前後方向Ｌに延び、かつ幅方向Ｗに間隔を空けて配置されている。股下伸縮部４１は、吸収コア３１の幅方向Ｗの中心に配置されてなく、吸収コア３１の幅方向Ｗの中心に対する両側にそれぞれ２本ずつ配置されている。よって、股下伸縮部４１の収縮によって、股下伸縮部４１と重なる領域の吸収コアが、吸収コアの幅方向の中心よりも身体側に引き上げられる。一対の股下伸縮部４１は、吸収コア３１の外側縁よりも幅方向の内側に位置してよい。一対の股下伸縮部４１間に位置する領域は、一対の股下伸縮部４１よりも幅方向の外側の領域に対して身体側に引き上げられる。よって、吸収コアの幅方向の中心が側部を基点として凸状に変形し、身体の股間に対するフィット性を確保できる。股下伸縮部４１は、前後方向Ｌに沿って配置された糸ゴムによって構成されている。なお、他の形態において、股下伸縮部４１は、前後方向に伸縮する帯状の伸縮シートによって構成されてよいし、１本の糸ゴムによって構成されていてもよいし、３本以上の糸ゴムによって構成されてもよい。また、本考案において重なっている状態とは、平面視にて一方の部材と他方の部材が重なっている状態であり、一方の部材の肌面側又は非肌面側に他方の部材が配置されている状態である。重なっている状態では、一方の部材と他方の部材が互いに接している状態のみならず、一方の部材と他方の部材の間に他の部材が介在している構成も含む。
【００５３】
股下伸縮部４１は、使い捨ておむつの前後方向の中心１０ＬＣを跨がってよい。股下伸縮部４１の収縮によって、使い捨ておむつの前後方向の中心１０ＬＣを身体側に引き上げることができる。特に、使用前に使い捨ておむつの肌面側どうしが向き合うように二つに折り畳まれた形態にあっては、折り畳みによる折り癖を引き上げることができる。なお、他の形態において、股下伸縮部４１は、使い捨ておむつの前後方向の中心１０ＬＣを跨がってなく、中心１０ＬＣよりも前側のみに配置されていてもよいし、中心１０ＬＣよりも後側のみに配置されていてもよい。
【００５４】
股下伸縮部４１は、吸収コア３１の外側縁よりも幅方向Ｗの内側に位置する。吸収コア３１の股下伸縮部４１よりも幅方向Ｗの外側には、股下伸縮部４１の収縮力が作用し難い領域が設けられる。図３において、吸収コア３１において股下伸縮部４１よりも外側に位置するサイド領域Ｒ３１と、サイド領域Ｒ３１の間の中央領域Ｒ３２と、を示す。サイド領域Ｒ３１は、最も幅方向Ｗの外側に位置する股下伸縮部４１よりも幅方向Ｗの外側に位置する領域である。中央領域Ｒ３２は、股下伸縮部４１と重なる領域及び股下伸縮部４１よりも幅方向Ｗの内側に位置する領域を合わせた領域である。中央領域Ｒ３２は、股下伸縮部４１の収縮によって、サイド領域Ｒ３１に対して身体側に引き上げられる。着用時の吸収コア３１の変形態様については、後述にて詳細に説明する。
【００５５】
また、本考案における防漏伸縮部４３、脚回り伸縮部４２、腰回り伸縮部４５、及び股下伸縮部４１を含む伸縮部は、糸ゴムや伸縮性シートなどの弾性部材が伸縮可能な状態で配置された部分であり、伸縮しない状態で弾性部材が配置された部分を含まない。すなわち、伸縮部は、伸縮部を構成する弾性部材の有効長部分である。
【００５６】
使い捨ておむつ１０は、おむつの非肌面側から視認可能な装飾部８１を有してよい。おむつの非肌面は、着用時に、着用者の肌側に向けられる面とは反対側の面である。なお、本考案における「視認可能」とは、昼白色（色温度目安 ４６００〜５４００ Ｋ（ケルビン））で明るく照明された室内(目安：５００〜７５０ ｌｘ（ルクス））で約３０〜５０ｃｍの距離で、良好な視力（１．０以上）を両眼に有する被験者が対象物を見たときに視認できる事を意味している。装飾部８１は、裏面シート２３の非肌面に設けられていてもよいし、外装シート２４の肌面に設けられていてもよいし、吸収体の非肌面に設けられていてもよい。本実施の形態の装飾部８１は、裏面シートの肌面に印刷されている。装飾部８１は、インジケータ５１よりも幅方向の外側において、幅方向に間隔を空けて一対で配置されている。すなわち、インジケータ５１は、一対の装飾部８１の間の領域に設けられている。装飾部８１は、前後方向Ｌに延びている。装飾部８１は、股下伸縮部４１の近傍又は股下伸縮部４１と重なる部位に設けられている。ここで装飾部８１を、股下伸縮部４１の近傍に設ける場合、図２に示すような、展開且つ伸長状態のおむつの平面視において、装飾部８１と股下伸縮部４１とが隣接しているか、又は股下伸縮部４１と装飾部８１との離間距離が１０ｍｍ以下、特に５ｍｍ以下であることが好ましい。
【００５７】
装飾部８１は、前後方向Ｌに沿った直線状であってもよいし、前後方向Ｌに延びつつ湾曲する曲線状であってもよいし、これらの組み合わせてあってもよい。装飾部８１は、線状又は帯状であってもよいし、多数の図柄を直列状に表したもの等であっても良い。多数の図柄を構成する個々の図柄としては、円形、星形、ハート形、動物を模した形、音符形の任意の模様等を採用することができる。また、個々の図柄は、大きさの異なる図柄の組み合わせであってもよいし、同じ大きさの図柄の組み合わせであってもよい。装飾部８１は、１本であってもよいし、２本以上の複数本であってもよい。装飾部８１は、裏面シート２３等に対して印刷して設けてもよいし、裏面シート等に着色剤等を含むホットメルト型接着剤を塗工して形成してもよい。
【００５８】
装飾部８１の色は、例えば、白色であることの多い外装シートや外包材の形成材料等に対して、黒色、灰色、有彩色であることが好ましい。有彩色としては、赤色、橙色、黄色、黄緑色、緑色、青色、藍色、紫色等が挙げられる。また、インジケータ５１を有する使い捨ておむつにおいては、装飾部８１の色は、そのインジケータの発色前及び発色後の何れの色とも異なる色であることが好ましい。
【００５９】
（３）吸収コアの構成
次いで、図３を参照して、吸収コア３１の構成について詳細に説明する。吸収コア３１は、吸収コア３１の最大幅３１Ｍよりも幅方向の長さが短い幅狭部３５と、幅狭部３５の前後方向の外側に配置された幅広部と、を有する。幅狭部３５は、前後に配置された幅広部の間に配置されている。幅狭部３５の幅方向の長さは、前後方向Ｌの外側に向かって長くなっている。吸収コア３１の平面視の形状は、砂時計形状である。なお、吸収コア３１のみならず、コアラップを含んだ吸収体の形状が、砂時計形状であってもよい。
【００６０】
吸収コア３１は、周囲の領域よりも吸収材料の坪量が低い低坪量部３３を有してよい。低坪量部３３は、前後方向Ｌに沿って設けられている。低坪量部３３は、前後方向Ｌに延びていればよく、前後方向Ｌに対して平行であってもよいし、前後方向Ｌに対して９０度未満の角度で傾斜してもよい。
【００６１】
低坪量部３３は、周囲の吸収コア３１よりも吸収材料の坪量が低い部分であり、周囲の吸収コア３１よりも厚さが薄く、かつ剛性が低い。よって、低坪量部３３は、装着状態で変形基点となり易い。吸収コア３１には、着用状態で前後方向に延びる変形基点が形成され易い。低坪量部３３は、吸収材料の坪量が実質的に零の部分（設計上の坪量が０であるが、周囲の吸収材料が混入した部分を含む）であってもよいし、周囲よりも少ない坪量の吸収材料が配置された部分であってもよい。低坪量部３３は、幅方向Ｗに一定の長さを有するスリットであってもよいし、幅方向Ｗの長さが実施的に零である切り込みであってもよい。各低坪量部３３の幅方向Ｗの長さは、２ｍｍ以上１０ｍｍ以下であってよく、低坪量部３３の前後方向Ｌの長さは、３０ｍｍ以上１８０ｍｍ以下であってよく、より好適には、吸収コア３１の厚さ以上、８ｍｍ以下でよい。低坪量部３３の幅方向の長さが吸収コア３１の厚さ以上であることにより、低坪量部３３を基点に吸収コア３１が厚さ方向に変形し易くなる。また、低坪量部３３の幅方向の長さが８ｍｍ以下であることにより、低坪量部の幅方向の長さが長いことによる吸収性能に対する不安感を抑制できる。
【００６２】
低坪量部３３は、幅方向Ｗに間隔を空けて一対で配置されている。低坪量部３３は、使い捨ておむつの幅方向の中心１０ＷＣの両側に、幅方向Ｗに間隔を空けて配置されてよい。低坪量部３３の前後方向の中心は、使い捨ておむつの前後方向の中心１０ＬＣよりも後側に配置されてよい。
【００６３】
吸収コア３１は、周囲の領域よりも剛性が高い高剛性部７０を有してよい。高剛性部７０は、一対の股下伸縮部４１の間に配置された中央高剛性部７１と、股下伸縮部４１よりも後側に配置された後高剛性部７２と、股下伸縮部４１よりも前側に配置された前高剛性部７３と、を有してよい。中央高剛性部７１、後高剛性部７２及び前高剛性部７３は、それぞれ前後方向Ｌにおいて離間している。
【００６４】
高剛性部７０は、周囲の領域よりも曲げ剛性が高い領域である。高剛性部７０は、周囲の領域よりも目付が高い部分であってもよいし、吸収コア３１が厚さ方向に圧縮された部分であってもよい。本実施の形態の高剛性部７０は、吸収コア３１が圧縮された圧搾部が設けられた部分である。圧搾部は、少なくとも吸収コア３１を厚さ方向Ｔに圧搾することによって形成されていればよく、コアラップ３２等の他の部材と吸収コア３１とが圧搾されることによって形成されてもよい。
【００６５】
中央高剛性部７１は、一対の低坪量部３３間の領域に設けられている。中央高剛性部７１の前端縁は、低坪量部３３の前端縁と一致又は低坪量部３３の前端縁よりも後側に位置してよい。中央高剛性部７１の後端縁は、低坪量部３３の後端縁よりも前側に位置してよい。中央高剛性部７１の前後方向の中心は、低坪量部３３の前後方向中心よりも前側に配置されてよい。中央高剛性部７１は、幅方向Ｗにおいて、低坪量部３３と間隔を空けて配置されてよい。中央高剛性部７１は、使い捨ておむつの前後方向の中心１０ＬＣ及び使い捨ておむつの幅方向Ｗの中心１０ＷＣを跨がってよい。
【００６６】
股下伸縮部４１は、中央高剛性部７１の幅方向の中心よりも両側に位置し、中央高剛性部７１よりも後側に延出してよい。吸収コア３１は、中央高剛性部７１よりも後側において股下伸縮部４１が配置された第１領域Ｒ４１と、中央高剛性部７１と股下伸縮部４１が厚さ方向又は幅方向において重なった第２領域Ｒ４２と、股下伸縮部４１よりも前側において中央高剛性部７１が配置された第３領域Ｒ４３と、を有してよい。第１領域Ｒ４１と第２領域Ｒ４２は、前後方向Ｌにおいて隣接しており、第２領域Ｒ４２と第３領域Ｒ４３は、前後方向Ｌにおいて隣接している。第１領域Ｒ４１の後端縁は、股下伸縮部４１の後端縁４１Ｒと一致し、第１領域Ｒ４１の前端縁は、中央高剛性部７１の後端縁７１Ｒと一致する。第２領域Ｒ４２の後端縁は、第１領域Ｒ４１の前端縁と一致し、第２領域Ｒ４２の前端縁は、股下伸縮部４１の前端縁４１Ｆと一致する。第３領域Ｒ４３の後端縁は、第２領域Ｒ４２の前端縁と一致し、第３領域Ｒ４３の前端縁は、中央高剛性部７１の前端縁７１Ｆと一致する。
【００６７】
後高剛性部７２は、低坪量部３３よりも後側に配置されてよい。後高剛性部７２の外側縁は、後側に向かって幅方向Ｗの外側に延びてよい。後高剛性部７２の前端縁の幅方向Ｗの長さは、中央高剛性部７１の幅方向Ｗの長さよりも長くてよい。後高剛性部７２は、使い捨ておむつの幅方向Ｗの中心１０ＷＣを跨がってよい。
【００６８】
前高剛性部７３は、低坪量部３３よりも前側に配置されてよい。前高剛性部７３は、使い捨ておむつの幅方向Ｗの中心１０ＷＣの両側に、幅方向Ｗに間隔を空けて配置されてよい。前高剛性部７３の前端縁は、幅方向Ｗの外側に向かって前側に延びてよい。
【００６９】
吸収コア３１には、股下伸縮部４１よりも後側に設けられた一対の変形基点部８５を有してよい。変形基点部８５は、股下伸縮部４１よりも後側において、後側に向かって幅方向Ｗの外側に向かって延び、かつ幅方向Ｗに間隔を空けて一対で配置されている。変形基点部８５は、吸収コア３１が厚さ方向に変形する基点となる。本実施の形態の変形基点部８５は、後高剛性部７２の外側部７２Ｓによって構成されている。変形基点部８５は、変形基点の縁となる基点縁８５Ｅを有する。基点縁は、吸収コア３１の厚さの折れ線が形成される縁である。本実施の形態の基点縁８５Ｅは、後高剛性部７２の外側縁７２Ｅである。本実施の形態の変形基点部８５は、基点縁８５Ｅから吸収コア３１の厚さ分まで基点縁８５Ｅに沿った線に対する垂直方向の内側に延びる領域を含んでいる。
【００７０】
ここで、本考案における外側部とは、幅方向Ｗにおける外側の縁を含む幅方向Ｗに一定の範囲を占める部分であり、外側縁とは、幅方向Ｗにおける外側の縁である。また、内側部とは、幅方向Ｗにおける内側の縁を含む幅方向Ｗに一定の範囲を占める部分であり、内側縁とは、幅方向Ｗにおける内側の縁である。なお、変形基点部８５は、吸収コア３１が厚さ方向に変形する基点となればよく、圧搾部による高剛性部の外側部に限定されない。他の態様における変形基点部については、後述にて説明する。
【００７１】
（４）装飾部の構成
次いで、装飾部８１の構成について詳細に説明する。図６は、使い捨ておむつのＡ−Ａ断面における装着状態を模式的に示した図である。図７は、実施形態に係る使い捨ておむつの装着状態を模式的に示した図であり、寝た状態の着用者を正面側から視認した図である。図６に示すラインＢＬは、着用者の身体のラインを示している。
【００７２】
使い捨ておむつが着用されると、股下域Ｓ３の吸収コア３１は、肌面側Ｔ１及び幅方向Ｗの内側に向かう力がかかり、股下域Ｓ３の吸収コア３１は、股下伸縮部４１の収縮によって吸収コア３１の幅方向Ｗの中央が身体側に引き上げられる。一対の股下伸縮部４１の収縮によって身体側に凸状に変形し、中央領域Ｒ３２がサイド領域Ｒ３１に対して立ち上がる。よって、股下域の吸収コア３１が身体側に沿って配置され、着用者の股間に吸収コア３１が収まり易くなる。
【００７３】
股下伸縮部４１の近傍又は股下伸縮部４１と重なる部位に、股下伸縮部４１に沿って装飾部８１が設けられている。装飾部８１によって、股下伸縮部４１の収縮によって変形した部位を目立たせることができる。使用者は、装飾部８１と共に股下伸縮部４１による収縮状態を視認することで、吸収コア３１が身体にフィットするように変形していることをより把握できる。使用者は、着用状態において、吸収コア３１が身体側に凸状に変形していることを、装飾部８１を介して容易に把握でき、おむつが身体にフィットしていることによる安心感を得やすい。
【００７４】
加えて、股下伸縮部４１は、裏面シート２３と外装シート２４の間に配置されており、おむつの非肌面側に近い。股下伸縮部４１は、おむつの非肌面側から視認され易く、装飾部８１によって更に視認され易い。使用者は、使用前の状態においても、股下伸縮部４１を視認し易く、股間部に対してフィットするおむつであるという安心感を得ることができる。
【００７５】
装飾部８１は、裏面シート２３の非肌面に設けられてよい。股下伸縮部４１と装飾部８１は、厚さ方向Ｔにおいて近くに配置され、股下伸縮部４１と装飾部８１を一体的に示すことができる。使用者は、装飾部８１を介して吸収コア３１が身体側に凸状に変形していることをより把握でき、漏れに対する安心感をより得やすい。使用者は、使用前の状態においても、装飾部８１を介して股下伸縮部４１を視認しやすくなり、股間部に対してフィットするおむつであるという安心感を得ることができる。
【００７６】
股下伸縮部４１の少なくとも一部及び装飾部８１の少なくとも一部は、接合領域Ｒ１に配置されてよい。接合領域Ｒ１では、裏面シート２３と外装シート２４が接合されている。接合領域Ｒ１における装飾部８１の視認性は、非接合領域Ｒ２における装飾部８１の視認性よりも高い。装飾部８１の視認性が高い接合領域Ｒ１に股下伸縮部４１が配置されているため、吸収コア３１の変形状態をより目立たせることができる。使用者は、装飾部８１を介して吸収コア３１が身体側に凸状に変形していることをより把握でき、漏れに対する安心感をより得やすい。使用者は、使用前の状態においても、装飾部８１を介して股下伸縮部４１を視認しやすくなり、股間部に対してフィットするおむつであるという安心感を得ることができる。
【００７７】
股下伸縮部４１の少なくとも一部は、低坪量部３３に重なってよい。吸収コア３１は、着用時に前後方向に延びる低坪量部３３を基点に変形する。よって、股下伸縮部４１の収縮によって吸収コア３１が身体側に凸状により変形し易くなり、着用者の股間に吸収コア３１を適切に収めることができる。吸収コア３１の変形基点となる低坪量部３３は、周囲の領域よりも坪量が低く、体液を吸収した後も厚さを抑えることができ、変形状態を維持できる。使用者は、吸収コア３１が身体側に凸状に変形していることをより把握でき、漏れに対する安心感をより得やすい。使用者は、使用前の状態においても、股下伸縮部４１を視認しやすくなり、股間部に対してフィットするおむつであるという安心感を得ることができる。
【００７８】
股下伸縮部４１は、中央高剛性部７１に対する幅方向Ｗの両方の外側に配置されてよい。股下伸縮部４１の収縮によって、中央高剛性部７１よりも幅方向Ｗの外側の領域を身体側に引き上げることができる。よって、低坪量部３３近傍が身体側に凸状に変形し易い。また、中央高剛性部７１は、股下伸縮部４１によって収縮し難い。よって、吸収面積を確保するとともに、股間に沿った凸形状を維持し、漏れを低減できる。使用者は、吸収コア３１が身体側に凸状に変形していることをより把握でき、漏れに対する安心感をより得やすい。
【００７９】
低坪量部３３の前端縁３３Ｆ及び後端縁３３Ｒの少なくとも一方は、前後方向Ｌにおいて股下伸縮部４１よりも外側に延出しており、装飾部８１は、前後方向Ｌにおいて低坪量部３３の全域に配置されてよい。すなわち、装飾部８１の前端縁８１Ｆは、低坪量部３３の前端縁３３Ｆよりも前側に位置し、装飾部８１の後端縁８１Ｒは、低坪量部３３の後端縁３３Ｒよりも後側に位置してよい。
【００８０】
図３に示すように、使い捨ておむつには、前後方向において低坪量部３３と股下伸縮部４１が配置された領域Ｒ１１と、低坪量部３３が股下伸縮部４１よりも前後方向Ｌの外側に延出した領域Ｒ１２と、が設けられる。前後方向において低坪量部３３と股下伸縮部４１が配置された領域は、低坪量部３３と股下伸縮部４１が幅方向又は厚さ方向Ｔに重なる領域であり、低坪量部３３による変形基点が形成されるとともに、股下伸縮部４１の収縮によって身体側に引き上げられる。低坪量部３３が股下伸縮部４１よりも前後方向の外側に延出した領域Ｒ１２は、低坪量部３３と股下伸縮部４１が幅方向又は厚さ方向Ｔに重ならない領域であり低坪量部３３による変形基点が形成されるが、股下伸縮部４１の収縮が作用し難い。よって、これらの２つの領域は、吸収コア３１の変形状態が異なり易い。２つの領域にまたがるように装飾部８１が設けられているため、使用者は、異なる変形態様を把握し易い。吸収コア３１の変形態様の違いによって、おむつの前後方向の向きやおむつの全体における前後方向の位置を把握でき、おむつが身体に対して適切に装着されているかを把握し易い。
【００８１】
股下伸縮部４１及び装飾部８１は、使い捨ておむつの前後方向の中心１０ＬＣを跨いで配置されてよい。股下伸縮部４１及び装飾部８１の両方が、使い捨ておむつの前後方向の中心１０ＬＣを跨ぐため、使用者は、使い捨ておむつの前側を視認しても、使い捨ておむつの後側を視認しても、吸収コア３１が身体側に凸状に変形していることを容易に把握できる。
【００８２】
装飾部８１の前後方向の長さは、股下伸縮部４１の前後方向の長さよりも長くてよい。装飾部８１がより目立ち易くなり、使用者は、吸収コア３１が身体側に凸状に変形していることを、装飾部８１を介して容易に把握できる。使用者は、使用前の状態においても、装飾部８１を介して股下伸縮部４１を視認しやすくなり、股間部に対してフィットするおむつであるという安心感を得ることができる。
【００８３】
装飾部８１は、股下伸縮部４１よりも前側に延出する前側延出部８１１と、股下伸縮部４１よりも後側に延出する後側延出部８１２と、を有し、前側延出部８１１の前後方向の長さＬ８１１は、後側延出部８１２の前後方向Ｌの長さＬ８１２よりも長くてよい。前側延出部８１１及び後側延出部は、股下伸縮部４１の収縮によって前後方向に収縮せず、視認性を確保し易い。また、一般的におむつの装着状態を確認する際は、着用者の正面側を視認する。使用者は、おむつの装着状態を確認する際に、前側延出部８１１を視認し易く、おむつが身体に対して適切に装着されているかを把握し易い。
【００８４】
装飾部８１の幅方向の長さは、股下伸縮部４１の幅方向の長さよりも長くてよい。装飾部８１がより目立ち易くなり、使用者は、吸収コア３１が身体側に凸状に変形していることを、装飾部８１を介して容易に把握できる。使用者は、使用前の状態においても、装飾部８１を介して股下伸縮部４１を視認しやすくなり、股間部に対してフィットするおむつであるという安心感を得ることができる。なお、装飾部８１の幅方向の長さ、及び股下伸縮部４１の幅方向の長さは、装飾部８１及び股下伸縮部４１が複数本の集合体によって構成されている場合にあっては、一本分の幅である。
【００８５】
一対の股下伸縮部４１は、一対の装飾部８１の間の領域に配置されている。股下伸縮部４１と装飾部８１は、使い捨ておむつ１０の幅方向の中心の両側にそれぞれ配置されている。股下伸縮部４１を幅方向に挟んで装飾部８１が配置され、股下伸縮部４１の収縮による変形状態をより目立たせることができる。使用者は、吸収コア３１が身体側に凸状に変形していることをより把握でき、漏れに対する安心感をより得やすい。使用者は、使用前の状態においても、装飾部８１を介して股下伸縮部４１を視認しやすくなり、股間部に対してフィットするおむつであるという安心感を得ることができる。
【００８６】
装飾部８１は、幅方向の内側に向かって膨らむ凸形状であってよい。テープ型の使い捨ておむつを装着する際は、後胴回り域に臀部を載せて、股下域側におむつを引っ張り、股下域によって身体を覆う。このとき、装飾部８１が湾曲しているため、使用者は、装飾部８１の形状によっておむつ全体における前後方向の位置を把握し易い。使用者は、おむつを適切な位置まで引っ張って装着することができ、より適切な位置におむつを装着できる。
【００８７】
変形基点部は、股下伸縮部４１よりも後側かつ一対の装飾部８１間の領域において、後側に向かって幅方向の外側に向かって延びてよい。テープ型の使い捨ておむつ１０を装着する際は、まず、使い捨ておむつ１０を展開した状態で使い捨ておむつ１０の後胴回り域Ｓ２に着用者の臀部を載せる。そして、着用者の両脚の間に使い捨ておむつ１０を通し、股下域側におむつを引っ張り、股下域によって身体を覆う。このとき、使い捨ておむつは、前後方向に引っ張られ、吸収コア３１は、変形基点部８５を基点に変形し易い。変形基点部８５は、股下域に位置する股下伸縮部４１よりも後側に設けられており、股下伸縮部４１よりも後側に吸収コア３１の変形基点が形成される。変形基点部８５は、後側に向かって幅方向Ｗの外側に向かって延びており、吸収コア３１には、後胴回り域から股下域に向かって幅方向Ｗの内側に延びる変形基点が形成される。
【００８８】
よって、後胴回り域に臀部を載せ、股下域側におむつを引っ張った際に、吸収体は、後胴回り域から股下域に向かって幅方向Ｗの内側に延びる基点によって変形する。具体的には、変形基点部８５が設けられている領域の吸収体は、図７に示すように、後高剛性部７２の外側縁７２Ｅ（変形基点部８５の基点縁８５Ｅ）を基点として変形し、外側縁７２Ｅよりも幅方向Ｗの内側の領域が、外側縁７２Ｅよりも幅方向Ｗの外側の領域よりも肌面側に配置される。外側縁７２Ｅよりも幅方向Ｗの内側の領域が、外側縁７２Ｅよりも幅方向Ｗの外側の領域よりも肌面側に配置される要因としては、股下伸縮部４１の収縮によって吸収コア３１の幅方向Ｗの中央が身体側に引き上げられること、装着者がおむつを引っ張る際には一般的に吸収コア３１の幅方向Ｗの中央に力をかけるため、及び装着時に吸収性物品の外側部（例えば脚回り開口部近傍）が脚に引っ掛かった状態で吸収コア３１の幅方向Ｗの中央が引き上げられるためである。吸収コア３１は、変形基点部８５を基点に変形することにより、股下域側に向かって幅方向Ｗの長さが短くなるように変形する。
【００８９】
図６及び図８に示すように、変形基点部８５よりも前側に位置する吸収コア３１は、一対の股下伸縮部４１の収縮によって身体側に凸状に変形し、中央領域Ｒ３２がサイド領域Ｒ３１に対して立ち上がる。よって、股下域の吸収コア３１が身体側に沿って配置され、着用者の股間に吸収コア３１を適切に収めることができる。
【００９０】
装飾部８１は、変形基点部８５及び股下伸縮部４１を挟んで配置され、吸収コア３１が凸状に変形した部分をより目立たせることができる。よって、使用者は、吸収コア３１が身体側に凸状に変形していることを、装飾部８１を介して容易に把握でき、漏れに対する安心感をより得やすい。使用者は、使用前の状態においても、装飾部８１を介して股下伸縮部４１を視認しやすくなり、股間部に対してフィットするおむつであるという安心感を得ることができる。
【００９１】
インジケータと装飾部８１の色差ΔＥは、３．０以上であってよい。出願人が種々検討を重ねた結果、使用者は、一般的に色差ΔＥが３．０以上であると、２つの領域を別の領域として認識し易いことがわかった。使用者は、インジケータと装飾部８１を区別して認識し易くなる。使用者は、吸収コア３１が身体側に凸状に変形していることを、装飾部８１を介して容易に把握でき、漏れに対する安心感をより得やすい。使用者は、使用前の状態においても、装飾部８１を介して股下伸縮部４１を視認しやすくなり、股間部に対してフィットするおむつであるという安心感を得ることができる。
【００９２】
なお、「色差」は、測定対象となる２点（２つの領域）について市販の測色器を用いて測色を行い、ＪＩＳ Ｚ 8729に規定されるＣＩＥ１９７６（L*a*b*）色空間に基づいて数値化した値を比較することによって求めることができる。具体的に、測定対象たる２点間のL*値の差がΔL*、a*の差がΔa*、b*値の差がΔb*であるときに、色差ΔＥ＝[(ΔL*)2＋(Δa*)2＋(Δb*)2]1/2によって求められる。
【００９３】
インジケータ５１の色と装飾部８１の色は、オストワルト色相環によって分類された２４色の色票で、色相番号が２以上ずれてよい。使用者は、インジケータと装飾部８１を区別して認識し易くなる。使用者は、吸収コア３１が身体側に凸状に変形していることを、装飾部８１を介して容易に把握でき、漏れに対する安心感をより得やすい。使用者は、使用前の状態においても、装飾部８１を介して股下伸縮部４１を視認しやすくなり、股間部に対してフィットするおむつであるという安心感を得ることができる。
【００９４】
（５）変形例
次いで、変形例に係る使い捨ておむつ１０Ａについて説明する。図８は、変形例に係る使い捨ておむつ１０Ａの非肌面側から見た平面を模式的に示した図である。なお、以下の変形例の説明においては、上述の実施形態と異なる構成のみ説明し、実施形態と同様の構成については、同符号を用いて説明を省略する。
【００９５】
変形例１に係る使い捨ておむつの股下伸縮部４１Ａは、使い捨ておむつ１０の前後方向Ｌの中心１０ＬＣを跨がずに配置されている。股下伸縮部４１Ａは、使い捨ておむつの前後方向の中心１０ＬＣよりも後側のみに配置されてよい。装飾部８１Ａは、使い捨ておむつの前後方向の中心１０ＬＣを跨いで配置されている。股下伸縮部がおむつの前後方向の中心に対する一方側のみに配置されるため、おむつの前側と後側の外観を異ならせることができる。使用者は、おむつの前後方向の向きやおむつの全体における前後方向の位置を把握でき、おむつが身体に対して適切に装着されているかを把握し易い。
【００９６】
装飾部８１Ａは、前後方向の中心側が幅方向の内側に突出する湾曲形状である。変形例１に係る装飾部８１Ａの幅方向の長さは、実施形態の装飾部８１の幅方向の長さよりも長く、変形例１に係る装飾部８１Ａは、１本の帯形状である。使い捨ておむつの幅方向の中心１０ＷＣに対する一方側に位置する股下伸縮部と装飾部８１Ａとの距離Ｗ１１は、使い捨ておむつの幅方向の中心に対する他方側に位置する股下伸縮部４１Ａと装飾部８１Ａとの距離Ｗ１２と異なっている。なお、変形例のように装飾部が湾曲した形状における股下伸縮部との距離は、最も近い部分における距離である。
【００９７】
股下伸縮部４１Ａの収縮によって吸収コア３１が身体側に凸状に変形すると、変形基点となる股下伸縮部の近傍は、おむつの非肌面側から視認し難くなることがある。おむつの幅方向の中心に対する一方側に位置する装飾部８１Ａと、おむつの幅方向の他方側に位置する装飾部８１Ａと、の距離が異なるため、一方側の装飾部８１Ａの視認性が確保し難い場合であっても他方側の装飾部８１Ａの視認性を確保し易い。よって、使用者は、吸収コア３１が身体側に凸状に変形していることを、装飾部８１Ａを介して容易に把握でき、漏れに対する安心感を得やすい。使用者は、使用前の状態においても、装飾部８１を介して股下伸縮部４１Ａを視認しやすくなり、股間部に対してフィットするおむつであるという安心感を得ることができる。
【００９８】
変形例１に係る使い捨ておむつ１０Ａは、低坪量部３３を有していない。吸収コア３１は、股下伸縮部４１の収縮によって着用者の股間に対して引き上げられ、股間に対してフィットする。
【００９９】
本明細書における「吸収コアの坪量」の測定は、以下の測定方法によって行われるものとする。使い捨ておむつ１０がパッケージなどに封入されている場合には、パッケージから取り出し、その状態にて20℃±2℃、相対湿度60％±5％RHの雰囲気下において12時間放置したサンプルを用いる。包装シート等によって包装された使い捨ておむつにおいては包装シートを開封し、折り畳まれた使い捨ておむつを展開する。次いで、坪量を測定する部分を使い捨ておむつから切り出し、切り出した部分から表面シート等、吸収コア以外の部分を取り除く。そして、吸収コアの坪量を測定する部分の面積及び重量を測定する。重量と面積とに基づいて坪量を算出する。
【０１００】
本明細書における「曲げ剛性」は、ガーレー剛軟度によって測定された値であってもよい。ガーレー剛軟度の測定は、(株)安田精機製作所製のＮｏ３１１のガーレー式柔軟度試験機を用いて、ＪＩＳ−Ｌ１０９６に準拠して測定することが可能である。ガーレー剛軟度の測定のサンプルの幅方向Ｗの長さは、30ｍｍ、前後方向の長さは、25ｍｍとすることができる。
【０１０１】
以上、上述の実施形態を用いて本考案について詳細に説明したが、当業者にとっては、本考案が本明細書中に説明した実施形態に限定されるものではないということは明らかである。本考案は、実用新案登録請求の範囲の記載により定まる本考案の趣旨及び範囲を逸脱することなく修正及び変更態様として実施することができる。したがって、本明細書の記載は、例示説明を目的とするものであり、本考案に対して何ら制限的な意味を有するものではない。
【産業上の利用可能性】
【０１０２】
本考案によれば、身体に対するフィット性を高めるとともに、吸収コアが身体側に凸状に変形していることを使用者が容易に把握でき、漏れに対する安心感を得られる使い捨ておむつを提供できる。
【符号の説明】
【０１０３】
１０、１０Ａ    使い捨ておむつ
１０ＬＣ  ：おむつの前後方向の中心
１０ＷＣ  ：おむつの幅方向の中心
２１    表面シート
２２    サイドシート
２３    裏面シート
２４    外装シート
３０    吸収体
３１    吸収コア
３２    コアラップ
３３    低坪量部
４１、４１Ａ    股下伸縮部
４２    脚回り伸縮部
４３    防漏伸縮部
４５    腰回り伸縮部
５１    インジケータ
７１    中央高剛性部
７２    後高剛性部
８１、８１Ａ    装飾部
８１１    前側延出部
８１２    後側延出部
８５    変形基点部
９１    ファスニングテープ
９２    ベース部
９３    係合部
９５    ターゲット部
Ｓ１    ：前胴回り域
Ｓ２    ：後胴回り域
Ｓ３    ：股下域
Ｔ      ：厚さ方向
Ｔ１    ：肌面側
Ｔ２    ：非肌面側
Ｌ      前後方向
Ｗ      ：幅方向
【図１】
0003218598.tif 000003
【図２】
0003218598.tif 000004
【図３】
0003218598.tif 000005
【図４】
0003218598.tif 000006
【図５】
0003218598.tif 000007
【図６】
0003218598.tif 000008
【図７】
0003218598.tif 000009
【図８】
0003218598.tif 000010